(57)【要約】      （修正有）【課題】いろいろな機能を有する機能部材を、市販の既存バックルに取り付けて所望の機能を付与することができる機能追加バックルを提供する。【解決手段】係合用の凸部を有するプラグと、凸部が差し込まれて係合する収容空間を有するソケットが設けられた既存バックルの、プラグとソケットの間に着脱可能な機能追加バックル１０であり、プラグの凸部に係合する雌形部１８と、ソケットの収容空間に係合する雄形部３４と、別体の機能部材を連結する取付基部５２を一体に備えている。取付基部５２は、雌形部１８に設けられている。雄形部３４は、既存バックルのプラグの凸部と同形状の雄形部凸部を有し、雌形部１８は、既存バックルのソケットの収容空間と同形状の雌形部収容空間２０を有する。【選択図】図１
0003204607.tif 000002
【実用新案登録請求の範囲】
【請求項１】
係合用の凸部（６６，２０４）を有するプラグ（７０，２０６）と、前記凸部（６６，２０４）が差し込まれて係合する収容空間（９４，２０８）を有するソケット（７４，２１０）が設けられたバックル（７６，２１１）の、前記プラグ（７０，２０６）と前記ソケット（７４，２１０）の間に着脱可能であり、
前記プラグ（７０，２０６）の前記凸部（６６，２０４）に係合する雌形部（１８，１８６）と、前記ソケット（７４，２１０）の収容空間（９４，２０８）に係合する雄形部（３４，１８８）と、別体の機能部材（１０４，１２２，１６８）を連結する取付基部（５２，１１６，１３０，１４０，１５２，１６２，１７８，２０２）が一体に設けられていることを特徴とする機能追加バックル。
【請求項２】
前記取付基部（５２，１１６，１３０，１４０，１５２，１６２，１７８）は前記雌形部（１８，１８６）に設けられている請求項１記載の機能追加バックル。
【請求項３】
前記雄形部（３４，１８８）には、前記バックル（７６）の前記プラグ（７０，２０６）の前記凸部（６６，２０４）と同形状の雄形部凸部（３６，２００）が設けられ、前記雌形部（１８，１８６）には、前記バックル（７６）の前記ソケット（７４，２１０）の前記収容空間（９４，２０８）と同形状の雌形部収容空間（２０，１９３）が設けられている請求項２記載の機能追加バックル。
【請求項４】
前記雌形部（１８）は、所定間隔を開けて対面する板状の上面部（１２）と下面部（１４）と、前記上面部（１２）と前記下面部（１４）の一対の側縁部同士を連結する一対の側面部（１６）が設けられて一方向に挿通する筒体であり、前記筒体の内側は雌形部収容空間（２０）であり、前記筒体の挿通方向の一端部は、前記プラグ（７０）の前記凸部（６６）が挿入される挿入口（２４）となり、前記筒体の前記挿通口（２４）の反対側の端部には前記雄形部（３４）が設けられ、前記雄形部（３４）の前記ソケット（７４）の前記収容空間（９４）に挿入される前記雄形凸部である雄形部脚部（３６）が、前記筒体の挿通方向に沿って外側へ突出して設けられている請求項２又は３記載の機能追加バックル。
【請求項５】
前記取付基部（５２，２０２）は、前記雌形部（１８，１８６）の前記上面部（１２，１９４）から突出する複数の互いに平行な板体（５６）であり、前記各板体（５６）には、透孔（６０）が各々貫通して形成され、前記板体（５６）には前記透孔（６０）の周縁部が前記板体（５６）から突出する取付台部（６２）が設けられ、前記取付台部（６２）にはボルトの頭部が嵌合される六角筒形の取付凹部（６４）が形成されている請求項２又は３記載の機能追加バックル。
【請求項６】
前記取付基部（１１６）は、前記雌形部（１８）の前記上面部（１２）から突出する円柱状の取付突起（１１８）であり、前記取付突起（１１８）の側周面には、雄ネジ（１２０）が形成されている請求項２又は３記載の機能追加バックル。
【請求項７】
前記取付基部（１３０）は、環部材（１３６）である請求項２又は３記載の機能追加バックル。
【請求項８】
前記取付基部（１４０）は、弾性を有する材料を折り曲げて設けた環部材（１４６）であり、一対の端部（１４８）は所定の長さが互いに重なり、前記端部（１４８）に外側から力を加えて弾性変形させると環状が開放される請求項２又は３記載の機能追加バックル。
【請求項９】
前記取付基部（１５２）は、前記雌形部（１８）の側方に突出する板状の保持部（１５４）と、前記保持部（１５４）の一方の面に所定の高さに突出し互いに平行な一対のガイド突起（１５６）と、前記一対のガイド突起（１５６）の間に設けられ前記ガイド突起（１５６）より低く平行なスライド用突条（１５８）が設けられている請求項２又は３記載の機能追加バックル。
【請求項１０】
前記取付基部（１６２）は、前記雌形部（１８）の前記上面部（１２）に形成された平面を有する台座部（１６４）が設けられ、前記台座部（１６４）には４つの係止突起（１６６）が突出して設けられ、前記係止突起（１６６）は一方向に長い突条であり、前記台座部（１６４）の中心から放射方向に互いに９０°に位置して設けられ、前記係止突起（１６６）の上端部には、フランジ部（１６６ａ）が形成されている請求項２又は３記載の機能追加バックル。
【請求項１１】
前記取付基部（１７８）は、前記雌形部（１８）の側方に突出する板体（１８０）と、前記板体（１８０）に形成された開口部（１８２）が設けられ、前記開口部（１８２）は前記雌形部（１８）の筒体の挿通方向に平行な方向に長い矩形に形成されている請求項２又は３記載の機能追加バックル。
【請求項１２】
前記雌形部（１８６）には、前記プラグ（２０６）の前記凸部（２０４）が差し込まれる一対の環状の枠部（１９０）が設けられ、前記枠部（１９０）には、前記凸部（２０４）が係止される開口部（１９２）が設けられている請求項２又は３記載の機能追加バックル。
【考案の詳細な説明】
【技術分野】
【０００１】
この考案は、互いに係合及び係合解除可能な雄部材と雌部材を有しテープやベルト、その他の部材の別々の部分同士を連結可能にするバックルの、雄部材と雌部材の間に取り付ける機能追加バックルに関する。
【背景技術】
【０００２】
従来、互いに係合及び係合解除可能な雄部材と雌部材を有し、ベルトやテープその他の部材の別々の部分同士を連結及び連結解除可能にする既存のバックルに対して、その雄部材と雌部材の間に取り付け可能に設けられたものが特許文献１に開示されている。
【０００３】
特許文献１の揮発性物質拡散手段を備えた迅速開放バックルは、各種バックや犬用のハーネス等に使用され二つのベルトセクションを一時的に連結するものであり、殺虫剤や空気清浄化物等の揮発性物質を大気中に拡散させるのに使用できる付加機能を備えたものである。また、この迅速開放バックルは、既存のバックルにいかなる変更を加える必要がなく既存のバックルに適用できるものである。これは、揮発性物質を拡散させる拡散要素を収容するバックルコンポーネントを備え、これ自体が、従来の迅速開放バックルの雄型部分および雌型部分に連結できるようになっている。
【０００４】
特許文献２のバックルは、雌部材と、雄部材と、雌部材と雄部材との間に着脱可能に取り付けられているアダプタとから成る。雌部材は、本体部の両側には同方向で、中空の接続孔を有する支持アームが延出しており、二本の支持アームの間には空間を備えるとともに、各支持アームの外側側部には開口部が設けられている。アダプタを、雌部材の空間に向けて押し動かすと、雌部材の本体部に向けて移動して固定され、さらに雄部材の挿入連結部の二つの挿入連結端が雌部材の支持アームの中空接続孔に向かって挿入されて、挿入連結部が開口部に侵入した後、一体に係合固定される。
【先行技術文献】
【特許文献】
【０００５】
【特許文献１】特表２０１０−５３１６９１号公報
【特許文献２】特開２００９−６６４０４号公報
【考案の概要】
【考案が解決しようとする課題】
【０００６】
上記背景技術の特許文献１に開示された迅速開放バックルは、殺虫剤や空気清浄物等の揮発性物質を大気中に拡散させるものであり、特定の機能のみを持つものであり、所望の機能を自由に付与することはできないものである。特許文献２に開示されたバックルは、特殊な形状のバックルであり、市販のバックルに自由に後付けすることができない。
【０００７】
一方、近年はカメラ等が小型化して、身に着けた状態で使用可能なウエアラブルカメラがあり、ウエアラブルカメラ専用のベルト等でウエスト等に装着し、手で保持することなく運動や作業をしながら撮影することができる。しかし、このようなウエアラブルカメラは、市販のバックルに取り付けることができず、不便であり、ウエアラブルカメラを簡単に市販のバックルに固定可能な装置が求められている。
【０００８】
この考案は、上記背景技術の問題点に鑑みてなされたものであり、いろいろな機能を有する機能部材を市販の既存バックルに取り付けて所望の機能を付与することができる機能追加バックルを提供することを目的とする。
【課題を解決するための手段】
【０００９】
本考案は、係合用の凸部を有するプラグと、前記凸部が差し込まれて係合する収容空間を有するソケットが設けられたバックルの、前記プラグと前記ソケットの間に着脱可能な機能追加バックルであり、前記プラグの前記凸部に係合する雌形部と、前記ソケットの前記収容空間に係合する雄形部と、別体の機能部材を連結する取付基部が一体に設けられている。前記取付基部は前記雌形部に設けられているものである。
【００１０】
前記雄形部には、前記バックルの前記プラグの前記凸部と同形状の雄形部凸部が設けられ、前記雌形部には、前記バックルの前記ソケットの前記収容空間と同形状の雌形部収容空間が設けられている。
【００１１】
前記雌形部は、所定間隔を開けて対面する板状の上面部と下面部と、前記上面部と前記下面部の一対の側縁部同士を連結する一対の側面部が設けられて一方向に挿通する筒体であり、前記筒体の内側は雌形部収容空間であり、前記筒体の挿通方向の一端部は、前記プラグの前記凸部が挿入される挿入口となり、前記筒体の前記挿通口の反対側の端部には前記雄形部が設けられ、前記雄形部の前記ソケットの前記収容空間に挿入される前記雄形凸部である雄形部脚部が、前記筒体の挿通方向に沿って外側へ突出して設けられている。
【００１２】
前記取付基部は、前記雌形部の前記上面部から突出する複数の互いに平行な板体であり、前記各板体には、透孔が各々貫通して形成されている。そして、前記板体には前記透孔の周縁部が前記板体から突出する取付台が設けられ、前記取付台にはボルトの頭部が嵌合される六角筒形の取付凹部が形成されている。
【００１３】
前記取付基部は、前記雌形部の前記上面部から突出する円柱状の取付突起であり、前記取付突起の側周面には、雄ネジが形成されている。
【００１４】
前記取付基部は、環部材でもよい。前記取付基部は、弾性を有する材料を折り曲げて設けた環部材であり、一対の端部は所定の長さが互いに重なり、前記端部に外側から力を加えて弾性変形させると環状が開放されるものである。
【００１５】
前記取付基部は、前記雌形部の側方に突出する板状の保持部と、前記保持部の一方の面に所定の高さに突出し互いに平行な一対のガイド突起と、前記一対のガイド突起の間に設けられ前記ガイド突起より低く平行なスライド用突条が設けられている。
【００１６】
前記取付基部は、前記雌形部の前記上面部に形成された平面を有する台座部が設けられ、前記台座部には４つの係止突起が突出して設けられ、前記係止突起は一方向に長い突条であり、前記台座部の中心から放射方向に互いに９０°に位置して設けられ、前記係止突起の上端部には、フランジ部が形成されている。
【００１７】
前記取付基部は、前記雌形部の側方に突出する板体と、前記板体に形成された開口部が設けられ、前記開口部は前記雌形部の筒体の挿通方向に平行な方向に長い矩形に形成されている。
【００１８】
前記雌形部には、前記プラグの前記凸部が差し込まれる一対の環状の枠部が設けられ、前記枠部には、前記凸部が係止される開口部が設けられている。
【考案の効果】
【００１９】
本考案の機能追加バックルは、いろいろな機能を有する機能部材を市販の既存バックルに取り付けて所望の機能を付与し、身体や小物に装着することができる。市販の既存バックルに、着脱自在に取り付けることができ、必要な時に取り付け、不要な時は外して既存バックルを通常の使用方法で使用することができる。
【図面の簡単な説明】
【００２０】
【図１】この考案の第一実施形態の機能追加バックルの斜視図である。
【図２】この考案の第一実施形態の機能追加バックルの平面図（ａ）、正面図（ｂ）、右側面図（ｃ）、底面図（ｄ）である。
【図３】この考案の第一実施形態の機能追加バックルと既存バックルの連結する前の状態を示す斜視図である。
【図４】この考案の第一実施形態の機能追加バックルと既存バックルを連結する前の状態を示す正面図（ａ）と右側面図（ｂ）斜視図である。
【図５】この考案の第一実施形態の機能追加バックルと既存バックルを連結した状態を示す斜視図である。
【図６】この考案の第一実施形態の機能追加バックルにウエアラブルカメラを取り付けた状態を示す斜視図である。
【図７】この考案の第一実施形態の機能追加バックルにウエアラブルカメラを取り付けた状態を示す正面図である。
【図８】この考案の第二実施形態の機能追加バックルの斜視図である。
【図９】この考案の第二実施形態の機能追加バックルの正面図（ａ）と右側面図（ｂ）である。
【図１０】この考案の第二実施形態の機能追加バックルに小型カメラを取り付けた状態を示す斜視図である。
【図１１】この考案の第二実施形態の機能追加バックルに小型カメラを取り付けた状態を示す斜視図である。
【図１２】この考案の第三実施形態の機能追加バックルの斜視図である。
【図１３】この考案の第三実施形態の機能追加バックルの正面図（ａ）と右側面図（ｂ）である。
【図１４】この考案の第四実施形態の機能追加バックルの斜視図である。
【図１５】この考案の第五実施形態の機能追加バックルの斜視図である。
【図１６】この考案の第六実施形態の機能追加バックルの斜視図である。
【図１７】この考案の第六実施形態の機能追加バックルに取り付ける電子機器の斜視図である。
【図１８】この考案の第六実施形態の機能追加バックルに取り付ける電子機器の斜視図である。
【図１９】この考案の第七実施形態の機能追加バックルの斜視図である。
【図２０】この考案の第八実施形態の機能追加バックルの平面図（ａ）、正面図（ｂ）、右側面図（ｃ）である。
【図２１】この考案の第八実施形態の機能追加バックルと既存バックルを連結する前の状態を示す斜視図である。
【考案を実施するための形態】
【００２１】
以下、この考案の実施形態について図面に基づいて説明する。図１〜図７はこの考案の第一実施形態を示すもので、この実施形態の機能追加バックル１０は、例えばポリアセタール、ポリアミド、ポリプロピレン等の合成樹脂で一体成形により形成されている。
【００２２】
機能追加バックル１０は、互いに所定間隔を開けて対面する板状の上面部１２と下面部１４と、上面部１２と下面部１４の一対の側縁部同士を連結する一対の側面部１６が設けられて一方向に挿通する筒体に形成された雌形部１８が設けられている。雌形部１８の、筒体の一方の開口部は、後述する既存バックル７６のプラグ７０が挿入される挿通口２４であり、筒体の内側は、プラグ７０の後述する脚部６６が挿入され係止される雌形部収容空間２０となる。なお、以後の説明において、雌形部収容空間２０の挿通方向を前後方向、前後方向と直交する方向であって一対の側面部１６を結ぶ方向を左右方向、前後方向と左右方向に直交する方向は上面部１２と下面部１４を結ぶ方向であり表裏方向また厚み方向という。
【００２３】
上面部１２と下面部１４は、ほぼ同じ形状であり、側面部１６に連続する両側の側縁部に、前後方向の長さの中間付近が、上面部１２または下面部１４の中心に向って凹状に円弧形状にくびれる凹状部２２が各々形成されている。上面部１２と下面部１４の、挿通口２４の周縁部となる端部は、外側に僅かに円弧状に膨出した形状である。上面部１２と下面部１４の、挿通口２４と反対側の端部は、内側にわずかに円弧状にくぼんだ形状である。一対の側面部１６は、上面部１２と下面部１４の凹状部２２に連続する部分が切除されて、操作用透孔２８が形成されている。
【００２４】
筒体の内側である雌形部収容空間２０には、挿通口２４の左右に位置する側面部１６に、プラグ７０が挿入されるときに脚部６６が当接しながら摺動する図示しないガイド面が各々設けられている。ガイド面の延長線上の奥には、上面部１２と下面部１４の裏面に、脚部６６の係合突起８０が係止される被係合部３０が突出して設けられている。被係合部３０は左右に一対設けられ、係止された一対の係合突起８０が、一対の脚部６６を互いに近づく方向に弾性変形させることで、係合突起８０が被係合部３０から離れる形状である。また、下面部１４の裏面には、左右一対の被係合部３０の間に、プラグ７０の保持棒６７の図示しない溝部に挿通される保持棒ガイド３２が設けられている。保持棒ガイド３２は、下面部１４の裏面から一定の高さに突出する突条であり、前後方向に沿って長く設けられている。雌形部収容空間２０の、挿通口２４と反対側は端面２５が形成されて閉鎖されている。
【００２５】
雌形部１８の、挿通口２４と反対側の端面２５には、雄形部３４が一体に設けられている。雄形部３４には、後述する既存バックル７６のソケット７４に挿入される一対の雄形部脚部３６が設けられている。一対の雄形部脚部３６は、雄形部３４の左右方向の端部に設けられ、前後方向に沿って、端面２５から離れる方向に所定長さで突出している。雄形部脚部３６の形状は、左右方向には基端部の幅が細く、突出方向の途中から先端部は幅が広く形成され、また先端部は互いに近づくように僅かに湾曲されている。表裏方向、つまり厚み方向は、基端部から突出方向の途中まではほぼ一定であり、先端部は上面部１２側と下面部１４側の両方から切り欠かれたような平面である薄肉部３８が形成されて薄くなり、薄肉部３８は、雄形部脚部３６の先端には、薄肉部３８から厚み方向に突出する係合突起４０が設けられている。
【００２６】
雄形部３４の、一対の雄形部脚部３６の間には、保持棒４４が設けられている。保持棒４４の形状は、前後方向の幅が一定で左右方向の幅はそれより狭い一定の幅を有する長い矩形であり、表裏方向の幅もほぼ一定の四角注状である。保持棒４４の、下面部１４側の面の長手方向の中心には、厚み方向に僅かに低くなる溝部４６が、長手方向に沿って先端部に貫通して設けられている。保持棒４４の基端部の両側には、一対の雄形部脚部３６の間の細い基端部同士の間に形成された空間に僅かな隙間を有して嵌合される拡張部４８が一体に形成されている。
【００２７】
上面部１２の外側面には、取付基部５２が一体に設けられている。取付基部５２は、上面部１２の厚み方向に一定の厚みを有する矩形のブロック状の基端部本体５４が形成されている。基端部本体５４は、前後方向の長さは上面部１２の約半分程度であり、左右方向は上面部１２の一対の凹状部２２の間の一番細い幅よりも少し長い。基端部本体５４は、上面部１２の中心付近に一体に設けられ、基端部本体５４の上面部１２と反対側の面には、３つの互いに平行な板体５６が設けられている。各板体５６は、前後方向に対して側面が略直角に位置し、前後方向に一定の厚みを有し、各板体５６同士の間には互いに同じ間隔のスリット５８が形成されている。各板体５６は互いに同形状であり、板体５６の形状は、図２（ａ）に示すように、基端部本体５４から表裏方向に突出しながら図面右側へ向かうように傾斜して突出し、基端部本体５４に連接する左側と右側の角部は面取りされてなだらかに形成されている。これにより、後述するウエアラブルカメラ１０４を取り付けたときに、機能追加バックル１０の下方にウエアラブルカメラ１０４を垂下させるようにして、安定に保持することが可能となる。先端部は半円形であり、半円形の中心には、前後方向に貫通する透孔６０が各々設けられている。
【００２８】
３つの板体５６の、挿通口２４側に位置する板体５６ａには、挿通口２４側の側面に、透孔６０の周縁部が板体５６ａの側面から突出する取付台部６２が設けられている。取付台部６２は円筒形状であり、内側にボルトの頭部が嵌合される六角筒形の取付凹部６４が形成され、透孔６０に連通している。
【００２９】
次に、この実施形態の機能追加バックル１０の係合動作及び使用方法について説明する。この機能追加バックル１０は、係合用の凸部である一対の脚部６６を有する既存バックル７６のプラグ７０と、脚部６６が挿入されて係止される収容空間９４を有するソケット７４が、互いに着脱可能に設けられた既存バックル７６に取り付けられ、プラグ７０とソケット７４の間に着脱可能である。
【００３０】
ここで、プラグ７０について説明する。プラグ７０は、機能追加バックル１０の雄形部３４とほぼ同じ形状の一対の脚部６６が設けられている。脚部６６の先端には薄肉部７８と係合突起８０が設けられている。脚部６６の基端部には、テープ通し部８２が備えられ、外側に位置する第１のバー８４と、第１のバー８４よりも内側で一対の脚部６６の基端部を連結した第２のバー８６とが左右方向に平行に設けられ、その間にスリット状のテープ挿通孔８２ａが形成されている。さらに、第２のバー８６と一対の脚部６６で囲まれる部分も空間が設けられ、テープ挿通孔８２ｂが形成されている。第２のバー８６は、テープ通し部８２の厚み方向の表面側に位置している。テープ通し部８２の、脚部６６側の形状は、機能追加バックル１０の挿通口２４側の端部に嵌合するように内側にわずかに円弧状にくぼんだ形状である。
【００３１】
一対の脚部６６の間には、保持棒６７が設けられている。保持棒６７の形状は、機能追加バックル１０の保持棒４４とほぼ同じ形状の四角注状である。保持棒６７の基端部の両側には、拡張部４８とほぼ同じ形状の拡張部７１が一体に形成されている。
【００３２】
次に、ソケット７４について説明する。ソケット７４は、雌形部１８とほぼ同じ形状の上面部８８と下面部９０、側面部９２で筒体に設けられ、収容空間９４と操作用透孔９６が形成されている。筒体の一方の端部には、機能追加バックル１０の雄形部３４の雄形部脚部３６が挿入されて形成される挿通口９８が設けられている。挿通口９８の周縁部となる端部は、機能追加バックル１０の端面２５に嵌合するように外側に僅かに円弧状に突出した形状である。
【００３３】
筒体の内側である収容空間９４には、挿通口９８の左右に位置する側面部９２の内側面に、機能追加バックル１０が挿入されるときに雄形部脚部３６が当接しながら摺動する図示しないガイド面が各々設けられている。ガイド面の延長線上の奥には、上面部８８と下面部９０の裏面に、雄形部脚部３６の係合突起４０が係止される被係合部９１が突出して設けられている。また、下面部９０の裏面には、左右一対の被係合部９１の間に、機能追加バックル１０の雄形部３４の保持棒４４に挿通される保持棒ガイド９３が設けられている。
【００３４】
挿通口９８と反対側の端部には、テープ通し部１００が設けられている。テープ通し部１００には、テープ部材などを挿通するテープ挿通孔１００ａが形成され、テープ部材等を連結する連結バー１０２が設けられている。
【００３５】
ここで、プラグ７０の、テープ部材等の取り付け方法を簡単に説明する。プラグ７０のテープ通し部８２には、第１のバー８４と第２のバー８６が設けられ、連結用のテープ部材は、プラグ７０の下面部側からテープ挿通孔８２ｂに挿入され、第２のバー８６の外周を経て、テープ挿通孔８２ａの上面部側から下面部側に挿入されて、自身のテープ部材に重ねられ、長さ調節自在に引き出される。一方、ソケット７４に取り付けられる図示しないテープ部材等は、１本の連結バー１０２に調節不能に連結される。
【００３６】
バックル７６と機能追加バックル１０の係合動作は、図３〜図５に示すように、まず、既存バックル７６のプラグ７０の脚部６６を、機能追加バックル１０の挿通口２４に対向させて、プラグ７０を雌形部１８内へ押し込む。脚部６６が雌形部１８内に挿入されると、一対のガイド面に脚部６６の先端付近の外側面が各々当接する。一対の脚部６６の外側面が各々接した状態でさらにプラグ７０を雌形部収容空間２０に押し込むと、プラグ７０の挿入に従いガイド面の傾斜により、一対の脚部６６は互いに近づくように弾性変形する。そして、脚部６６の係合突起８０が被係合部３０に係合される。これにより、プラグ７０と機能追加バックル１０が連結される。なお、プラグ７０の脚部６６の外側面は、機能追加バックル１０の雌形部１８の操作用透孔２８から露出している。
【００３７】
次に、機能追加バックル１０の雄形部３４の雄形部脚部３６を、既存バックル７６のソケット７４の挿通口９８に対向させて、機能追加バックル１０をソケット７４の収容空間９４へ押し込む。プラグ７０の脚部６６を機能追加バックル１０の雌形部収容空間２０に押し込むときと同様であり、雄形部脚部３６がソケット７４内に挿入されると、一対のガイド面に雄形部脚部３６の先端付近の外側面が各々当接する。一対の雄形部脚部３６の外側面が各々接した状態でさらに機能追加バックル１０を収容空間９４に押し込むと、機能追加バックル１０の挿入に従いガイド面の傾斜により、一対の雄形部脚部３６は互いに近づくように弾性変形する。そして、雄形部脚部３６の係合突起４０が被係合部９１に係合される。これにより、機能追加バックル１０とソケット７４が連結される。なお、機能追加バックル１０の雄形部脚部３６の外側面は、ソケット７４の操作用透孔９６から露出している。
【００３８】
これにより、図５に示すように、機能追加バックル１０を、プラグ７０とソケット７４からなる既存バックル７６に取り付ける。プラグ７０、機能追加バックル１０、ソケット７４が一列に係合し、一対のテープ部材をテープ部材の延長線上で連結する。テープ部材を身体や鞄、ヘルメット等に取り付け、機能追加バックル１０の取付基部５２にいろいろな機能を有する機能部材を取り付けて使用する。ここでは、機能追加バックル１０の取付基部５２に、後述する機能部材としてウエアラブルカメラ１０４を取り付ける。
【００３９】
次に、ウエアラブルカメラ１０４について図６、図７に基づいて説明する。ウエアラブルカメラ１０４は、矩形の本体１０６を有し、本体の一方の側面１０６ａには、撮影用のレンズ１０７が設けられている。側面１０６ａに対して略直角に交差する側面１０６ｂには、連結部材１０８が固定されている。連結部材１０８は、取付基部５２の２本のスリット５８に差し込まれる２枚の取付板１１０が設けられ、２枚の取付板１１０は、互いに同形状であり、側面１０６ｂに対して直角に外側に突出している。取付板１１０の側面１０６ｂから離れた先端の形状は、外側へ膨出する半円形の形状であり、半円形の中心には、取付板１１０の厚み方向に貫通する透孔１１２が各々設けられている。
【００４０】
ウエアラブルカメラ１０４を、機能追加バックル１０に取り付ける時は、ウエアラブルカメラ１０４の２つの取付板１１０を、機能追加バックル１０の取付基部５２の２つのスリット５８に各々差し込み、取付板１１０の透孔１１２を板体５６の透孔６０に一致させる。そして、図示しないボルトを取付台部６２の取付凹部６４に差し込み、反対側に位置する板体５６から突出した先端にナットを閉めて連結する。これにより、テープ部材にウエアラブルカメラ１０４を取り付け、テープ部材を身体や鞄、帽子等に取り付けることにより、ウエアラブルカメラ１０４を装着することができる。ウエアラブルカメラ１０４を取り付ける順番はこれ以外でもよく、予めウエアラブルカメラ１０４を機能追加バックル１０に取り付け、その後プラグ７０とソケット７４に取り付けてもよい。
【００４１】
機能追加バックル１０と、プラグ７０とソケット７４との連結を解除するには、例えば、プラグ７０と機能追加バックル１０を先に外し、次に機能追加バックル１０とソケット７４を外す。この逆の順番でもよい。プラグ７０の、機能追加バックル１０からの外し方について説明する。機能追加バックル１０の操作用透孔２８から露出している一対の脚部６６を外側から押圧して、プラグ７０の係合突起８０を機能追加バックル１０の被係合部３０と離れる位置まで、互いに近づくように弾性変形させ、係合を解除する。この状態で、プラグ７０を機能追加バックル１０から離れる方向に移動させ、引き抜く。次に、ソケット７４の操作用透孔９６から露出している一対の雄形部脚部３６を、同様に外側から押圧して、同様に係合を解除し、引き抜く。
【００４２】
この実施形態の機能追加バックル１０によれば、いろいろな機能を有する機能部材を市販の既存バックル７６に取り付けて機能を付与し、身体や小物に装着することができる。機能部材はウエアラブルカメラ１０４であり、運動したり歩行しながら撮影することができる。市販の既存バックル７６に、着脱自在に取り付けることができ、特別な装置が不要であり、手軽に機能を付与したり、外したりすることができる。機能追加バックル１０の、雌形部１８は、既存バックル７６のソケット７４と同じ形状であり、雄形部３４は既存バックル７６のプラグ７０と同じ形状であり、連結と解除の操作が、２か所で同じ操作で同じ強さの力で行うことができ、違和感がない。しかも、機能追加バックル１０を追加しても既存バックル７６のテープ部材は延長線上に連結され、取り付け強度が高い。機能追加バックル１０を取り付けたことで既存バックル７６の性能低下を引き起こさず、確実に装着することができる。また、連結した外観が、統一感があり自然である。取付基部５２と、ウエアラブルカメラ１０４の連結部材１０８は、簡単な構造で強い力で係合するものであり、またウエアラブルカメラ１０４の着脱操作が容易なものである。
【００４３】
次にこの考案の第二実施形態について図８〜図１１に基づいて説明する。なお、ここで上記実施形態と同様の部材は同様の符号を付して説明を省略する。この実施形態の機能追加バックル１１４は、雌形部１８と雄形部３４が設けられ、雌形部１８の上面部１２の外側面には、取付基部１１６が一体に設けられている。取付基部１１６は、上面部１２の厚み方向に突出する円柱状の取付突起１１８であり、取付突起１１８の側周面には、雄ネジ１２０が形成されている。
【００４４】
この実施形態の機能追加バックル１１４は、既存バックル７６のプラグ７０とソケット７４の間に着脱可能である。取付基部１１６に、いろいろな機能を有する機能部材を取り付けて使用する。ここでは、図１０、図１１に示すように、機能部材として小型カメラ１２２を取り付ける。小型カメラ１２２は、上記実施形態で取り付けたウエアラブルカメラ１０４より少し大きいものであり、通常は手で保持して撮影するものである。小型カメラ１２２の底面１２４には、三脚等に取り付ける際に使用する雌ねじ１２６が設けられている。
【００４５】
小型カメラ１２２を、機能追加バックル１１４に取り付ける時は、小型カメラ１２２の雌ねじ１２６に、機能追加バックル１１４の雄ネジ１２０を螺合させて連結する。これにより、既存バックル７６を介してテープ部材に小型カメラ１２２を取り付け、テープ部材を身体や鞄、ヘルメット等に取り付けることにより、小型カメラ１２２を装着する。機能追加バックル１１４と、プラグ７０とソケット７４との連結と解除は、上記実施の携形態同様である。
【００４６】
この実施形態の機能追加バックル１１４によれば、上記実施形態と同様の効果を有するものである。手で保持して使用する小型カメラ１２２を身体等に装着することができ、ハンズフリーで撮影を行うことができる。小型カメラ１２２に一般的に設けられている雌ねじ１２６を使用して連結が可能であり、雄ネジ１２０と雌ねじ１２６により高い強度で取り付けられ、回転して螺合させる簡単な操作で着脱を行うことができる。
【００４７】
次にこの考案の第三実施形態について図１２、図１３に基づいて説明する。なお、ここで上記実施形態と同様の部材は同様の符号を付して説明を省略する。この実施形態の機能追加バックル１２８は、雌形部１８と雄形部３４が設けられ、雌形部１８の上面部１２の外側面には取付基部１３０が設けられている。取付基部１３０は、上面部１２の厚み方向に突出する円柱状の留め具１３２が設けられ、留め具１３２の側周面を貫通する挿通穴１３４が設けられている。挿通穴１３４には、環部材１３６が挿通されて設けられている。環部材１３６は正円に形成されている。環部材１３６は、挿通穴１３４に挿通されている部分を中心として回転可能であり、左右のいずれの方向に倒れることができ、厚み方向に立つこともできる。環部材１３６に、いろいろな機能を有する機能部材を、フックや紐で取り付けて使用する。
【００４８】
この実施形態の機能追加バックル１２８によれば、上記各実施形態と同様の効果を有するものである。取付基部１３０の形状がシンプルな環部材１３６で設けられ、紐やフックで簡単にいろいろな機能部材を着脱することができる。
【００４９】
次にこの考案の第四実施形態について図１４に基づいて説明する。なお、ここで上記実施形態と同様の部材は同様の符号を付して説明を省略する。この実施形態の機能追加バックル１３８は、雌形部１８と雄形部３４が設けられ、雌形部１８の上面部１２の外側面には取付基部１４０が設けられている。
【００５０】
取付基部１４０は、上面部１２の厚み方向に突出する円柱状の留め具１４２が設けられ、留め具１４２の側周面を貫通する挿通穴１４４が設けられている。挿通穴１４４には、環部材１４６が挿通されて設けられている。環部材１４６は、適度な弾性を有する金属またはプラスチック等で作られた雨滴状のナス環であり、雨滴状の長手方向の一方の端部は小さい直径の半円形状であり、他方の端部は大きい直径の半円形状である。一対の半円形状の間は直線で形成され、この直線部分に棒の一対の端部１４８が位置し、一対の端部１４８は所定の長さが互いに重なっている。環部材１４６は、小さい直径の半円形状の部分が挿通穴１４４に挿通され、この部分を中心として回転可能であり、左右のいずれの方向に倒れることができ、厚み方向に立つこともできる。環部材１４６は、端部１４８に外側から力を加えて弾性変形させると互いに離れ、環状が開放され、いろいろな機能部材を環部材１４６に通して取り付けて使用する。力をはなすと環部材１４６の弾性変形が元に戻り、確実に環状が閉鎖され、抜け落ち等を防ぐ。
【００５１】
この実施形態の機能追加バックル１３８によれば、上記各実施形態と同様の効果を有するものである。環部材１４６は端部１４８で解放されるため、環状の取り付け具などを挿通して機能性を有する機能部材を取り付けることができる。力を加えて環部材１４６を弾性変形させる簡単な操作により、開放と閉鎖を行うことができ、操作が簡単である。力を加えない状態で閉鎖され、機能性を有する機能部材を確実に取り付けることができる。
【００５２】
次にこの考案の第五実施形態について図１５に基づいて説明する。なお、ここで上記実施形態と同様の部材は同様の符号を付して説明を省略する。この実施形態の機能追加バックル１５０は、雌形部１８と雄形部３４が設けられ、雌形部１８の下面部１４の外側面には取付基部１５２が設けられている。取付基部１５２は、下面部１４の左右方向の、ここでは紙面左側に突出する板状の保持部１５４が設けられている。保持部１５４の外側の面、つまり上面部１２側の面に、所定の高さに突出し互いに平行な一対のガイド突起１５６が設けられ、左右方向に長く設けられている。ガイド突起１５６の上端部には、一対のガイド突起１５６から互いに近づく方へ広がるフランジ部１５６ａが設けられている。保持部１５４には、一対のガイド突起１５６の間に位置する部分にスリット状の開口部１５７が各々設けられている。一対のガイド突起１５６の間には、ガイド突起１５６より低いスライド用突条１５８が、ガイド突起１５６に対して平行に設けられている。
【００５３】
この実施形態の機能追加バックル１５０によれば、上記各実施形態と同様の効果を有するものである。ガイド突起１５６とスライド用突条１５８に嵌合される連結部を有するウエアラブルカメラ等の機能部材をスライド式に取り付けることができ、機能部材を簡単で確実に取り付けることができる。ガイド突起１５６とスライド用突条１５８の形状を、所望の機能部材に合わせて適宜設計することにより、いろいろな機能部材を取り付けることができる。
【００５４】
次にこの考案の第六実施形態について図１６に基づいて説明する。なお、ここで上記実施形態と同様の部材は同様の符号を付して説明を省略する。この実施形態の機能追加バックル１６０は、雌形部１８と雄形部３４が設けられ、雌形部１８の上面部１２の外側面には取付基部１６２が設けられている。取付基部１６２は、輪郭が八角形の平面である台座部１６４が上面部１２に沿って設けられ、台座部１６４には、４つの係止突起１６６が厚み方向に所定の高さに突出して設けられている。係止突起１６６は一方向に長い突条であり、台座部１６４の中心から放射方向に互いに９０°に位置して設けられ、左右方向に一対が設けられ、前後方向に一対が設けられている。各係止突起１６６の上端部には、フランジ部１６６ａが長手方向の両側に突出して各々設けられている。
【００５５】
機能追加バックル１６０には、機能部材として図１７、図１８に示す被係止突起１７２を有した電子機器１６８等が着脱可能に取り付けられるものである。電子機器１６８は、携帯電話やデジタル歩数計等である。電子機器１６８は、平坦な矩形のケース１７０で覆われ、ケースの裏面１７０ａには、被係止突起１７２が厚み方向に突出して設けられている。被係止突起１７２は、機能追加バックル１６０に設けられた互いに平行に設けられた一対の係止突起１６６を覆う長さに設けられ、被係止突起１７２の中心部分は係止突起１６６のフランジ部１６６ａが摺動可能に挿通され係止されるスリット１７４が設けられている。スリット１７４の一方の端部は閉鎖され、他方の端部は開口されて係止突起１６６を挿通することができる。
【００５６】
この実施形態の機能追加バックル１６０によれば、上記各実施形態と同様の効果を有するものである。いろいろな機能を有する電子機器１６８を確実に取り付けることができる。ケース１７０を中空のケースとし、中に市販のスマートフォン等を入れることもできる。
【００５７】
次にこの考案の第七実施形態について図１９に基づいて説明する。なお、ここで上記実施形態と同様の部材は同様の符号を付して説明を省略する。この実施形態の機能追加バックル１７６は、雌形部１８と雄形部３４が設けられ、雌形部１８の下面部１４の外側面には取付基部１７８が設けられている。取付基部１７８は、下面部１４の左右方向、ここでは紙面左側に突出する板状の保持部１８０が設けられ、保持部１８０には厚み方向に形成された開口部１８２が設けられ、開口部１８２は、前後方向に長い矩形に形成されている。
【００５８】
この実施形態の機能追加バックル１７６によれば、上記各実施形態と同様の効果を有するものである。いろいろな機能を有する機能部材を、紐やフックを介して確実に取り付けることができる。平紐状のベルト等を開口部１８２に挿通して連結することもできる。
【００５９】
次にこの考案の第八実施形態について図２０、図２１に基づいて説明する。なお、ここで上記実施形態と同様の部材は同様の符号を付して説明を省略する。この実施形態の機能追加バックル１８４は、雌形部１８６と雄形部１８８が一体に設けられている。
【００６０】
雌形部１８６には、一対の枠部１９０が左右方向の両端部に設けられ、前後方向に突出している。枠部１９０の内側には左右方向に貫通する開口部１９２が設けられ、開口部１９２は、枠部１９０の先端の、一対の枠部１９０の互いに近い部分にも連通している。枠部１９０の先端に連通する開口部１９２の内周面は、後述するプラグ２０６の脚部２０４が当接するガイド面となる。一対の枠部１９０の基端部は、互いに所定間隔を開けて対面する板状の上面部１９４と下面部１９６と、上面部１９４と下面部１９６を結ぶ側面部１９８からなる筒体に連結されている。一対の枠部１９０と、筒体で囲まれた空間は、プラグ２０６の脚部２０４を係止する雌形部収容空間１９３となる。ガイド面の延長線上の奥には、上面部１９４と下面部１９６の裏面に、脚部２０４の係合突起２０５が係止される被係合部１９５が突出して設けられている。
【００６１】
上面部１９４、下面部１９６、側面部１９８からなる筒体の、枠部１９０と反対側の端部には、雄形部１８８が一体に設けられている。雄形部１８８には、後述するソケット２１０の収容空間２０８に挿入される一対の雄形部脚部２００と保持棒２０１が設けられている。雄形部脚部２００の先端には、係合突起２０３が設けられている。
【００６２】
上面部１９４の外側面には、取付基部２０２が一体に設けられている。取付基部２０２は、第一実施形態の取付基部５２と同形状であり、基端部本体５４、板体５６、スリット５８、透孔６０、取付台部６２、取付凹部６４が設けられている。
【００６３】
この実施形態の機能追加バックル１８４の係合動作及び使用方法は、上記各実施形態と同様である。機能追加バックル１８４は、一対の脚部２０４を有するプラグ２０６と、脚部２０４が挿入されて係止される収容空間２０８を有するソケット２１０が、互いに着脱可能に設けられた既存バックル２１１に取り付けられ、プラグ２０６とソケット２１０の間に着脱可能である。取付基部２０２に、ウエアラブルカメラ１０４を取り付けてバックル２１１に装着する。
【００６４】
この実施形態の機能追加バックル１８４によれば、上記各実施形態と同様の効果を有するものである。雌形部１８６と雄形部１８８の形状を、所望の機能部材に合わせて適宜設計することにより、いろいろな機能部材を取り付けることができる。取付基部２０２の形状も、第一実施形態の取付基部５２と同じもの以外の、各実施形態に開示されたものを設けてもよい。
【００６５】
この考案の機能追加バックルは、上記各実施の形態に限定されるものではなく、雌形部と雄形部の形状は適宜変更可能であり、取り付ける既存バックルに着脱可能なものであれば良い。取付基部の形状も適宜変更可能であり、ホイッスル、クリップ、スマートフォン用ホルダー、ドリンクホルダー等、機能性を有する機能部材を取り付けるために適した形状であれば良い。機能性を有する機能部材は、カメラ、ホイッスル、ボトル等、色々なものに使用することができる。取付基部を複数設けて、機能性を有する機能部材を複数取り付けて複数の機能を付与することもできる。また、機能追加バックルのどの位置に取付基部を設けてもよい。
【符号の説明】
【００６６】
１０，１１４，１２８，１３８，１５０，１６０，１７６，１８４  機能追加バックル
１２，１９４  上面部
１４，１９６  下面部
１６，１９８  側面部
１８，１８６  雌形部
２０，１９３  雌形部収容空間
２４，９８  挿通口
２８，９６  操作用透孔
３０，９１，１９５  被係合部
３４，１８８  雄形部
３６，２００  雄形部脚部
５２，１１６，１３０，１４０，１５２，１６２，１７８，２０２  取付基部
５６  板体
６０  透孔
６２  取付台部
６４  取付凹部
６６  脚部
７０，２０６  プラグ
７４，２１０  ソケット
７６，２１１  既存バックル
９４，２０８  収容空間
１０４  ウエアラブルカメラ（機能部材）
１２２  小型カメラ（機能部材）
１６８  電子機器（機能部材）
１１８  取付突起
１２０  雄ネジ
１３６，１４６  環部材
１５４，１８０  保持部
１５６  ガイド突起
１５８  スライド用突条
１６４  台座部
１６６  係止突起
１８２  開口部
【図１】
0003204607.tif 000003
【図２】
0003204607.tif 000004
【図３】
0003204607.tif 000005
【図４】
0003204607.tif 000006
【図５】
0003204607.tif 000007
【図６】
0003204607.tif 000008
【図７】
0003204607.tif 000009
【図８】
0003204607.tif 000010
【図９】
0003204607.tif 000011
【図１０】
0003204607.tif 000012
【図１１】
0003204607.tif 000013
【図１２】
0003204607.tif 000014
【図１３】
0003204607.tif 000015
【図１４】
0003204607.tif 000016
【図１５】
0003204607.tif 000017
【図１６】
0003204607.tif 000018
【図１７】
0003204607.tif 000019
【図１８】
0003204607.tif 000020
【図１９】
0003204607.tif 000021
【図２０】
0003204607.tif 000022
【図２１】
0003204607.tif 000023
【手続補正書】
【提出日】平成28年3月28日(2016.3.28)
【手続補正１】
【補正対象書類名】実用新案登録請求の範囲
【補正対象項目名】請求項５
【補正方法】変更
【補正の内容】
【請求項５】
前記取付基部（５２，２０２）は、前記雌形部（１８，１８６）の前記上面部（１２，１９４）から突出する複数の互いに平行な板体（５６）であり、前記各板体（５６）には、透孔（６０）が各々貫通して形成され、前記板体（５６）には前記透孔（６０）の周縁部が前記板体（５６）から突出する取付台部（６２）が設けられ、前記取付台部（６２）にはボルトの頭部が嵌合される六角筒形の取付凹部（６４）が形成されている請求項４記載の機能追加バックル。
【手続補正２】
【補正対象書類名】実用新案登録請求の範囲
【補正対象項目名】請求項６
【補正方法】変更
【補正の内容】
【請求項６】
前記取付基部（１１６）は、前記雌形部（１８）の前記上面部（１２）から突出する円柱状の取付突起（１１８）であり、前記取付突起（１１８）の側周面には、雄ネジ（１２０）が形成されている請求項４記載の機能追加バックル。
【手続補正３】
【補正対象書類名】実用新案登録請求の範囲
【補正対象項目名】請求項１０
【補正方法】変更
【補正の内容】
【請求項１０】
前記取付基部（１６２）は、前記雌形部（１８）の前記上面部（１２）に形成された平面を有する台座部（１６４）が設けられ、前記台座部（１６４）には４つの係止突起（１６６）が突出して設けられ、前記係止突起（１６６）は一方向に長い突条であり、前記台座部（１６４）の中心から放射方向に互いに９０°に位置して設けられ、前記係止突起（１６６）の上端部には、フランジ部（１６６ａ）が形成されている請求項４記載の機能追加バックル。